(57)【要約】  この発明に係る光空間生成装置は、底面が開口し、空間を内側に有する筒体と、筒体の側壁面に配置され、空間に光を出射する出射部と、出射部が配置された部分以外の側壁面の内側に配置され、光を反射する反射板とを備え、出射部は、２以上の方向に向けて光を出射する複数の光源を有し、筒体内側に生成される光空間において、光量の偏りを抑制することができるものである。
2020170385.tif 000002
【特許請求の範囲】
【請求項１】
底面が開口し、空間を内側に有する筒体と、
前記筒体の側壁面に配置され、前記空間に光を出射する出射部と、
前記出射部が配置された部分以外の前記側壁面の内側に配置され、前記光を反射する反射板とを備え、
前記出射部は、２以上の方向に向けて前記光を出射する複数の光源を有する光空間生成装置。
【請求項２】
前記光源は、光軸に平行な光を出射し、前記反射板は、入射した前記光を平行に反射する請求項１に記載の光空間生成装置。
【請求項３】
前記反射板は、前記光の波長域に対して反射率が高い特性をもつ平滑な表面を有する請求項１または請求項２に記載の光空間生成装置。
【請求項４】
前記出射部は、２以上の異なる前記反射板に前記光を出射する向きに複数の前記光源が配置される請求項１〜請求項３のいずれか一項に記載の光空間生成装置。
【請求項５】
前記筒体は、円柱形状または多角柱形状の前記側壁面を有する請求項１〜請求項４のいずれか一項に記載の光空間生成装置。
【請求項６】
請求項１〜請求項５のいずれか一項に記載の光空間生成装置を備え、
出射部から紫外線を出射して、筒体の内側の空間に通過させた流体に照射する殺菌装置。
【請求項７】
請求項６に記載の殺菌装置を有し、紫外線の進行方向と直交する方向に、調和に係る空気を通過させる空気調和装置。
【請求項８】
請求項６に記載の殺菌装置を有し、紫外線の進行方向と直交する方向に、庫内の冷却に係る空気を通過させる冷蔵庫。
【請求項９】
請求項６に記載の殺菌装置を有し、紫外線の進行方向と直交する方向に、水を通過させる水殺菌装置。
【請求項１０】
請求項１〜請求項５のいずれか一項に記載の光空間生成装置と、
特定波長域の光を検出する検出器とを備え、
前記光空間生成装置は、出射部から特定波長域の光を出射して、筒体の内側の空間を通過する流体に照射し、
前記出射部が出射した前記光に対する、前記検出器が検出した前記光の減衰率に基づいて、前記特定波長域の光に対して吸収特性を有する物質を検出する検出装置。
【請求項１１】
前記出射部から出射した光が複数の反射板で反射し、前記検出器には、最後に反射した前記光が入射される請求項１０に記載の検出装置。
【発明の詳細な説明】
【技術分野】
【０００１】
この発明は、光による空間を円盤状に形成する光空間生成装置に関するものである。さらに、光空間を用いた殺菌装置、空気調和装置、冷蔵庫、水殺菌装置および検出装置に関するものである。
【背景技術】
【０００２】
従来から、空間に出射した光を活用した技術がある。たとえば、光を用いた防犯センサ技術および光を用いた殺菌技術などが知られている。たとえば、紫外線は、細菌の原形質である核酸に作用してＤＮＡの複製を阻害し、増殖能力を奪うだけでなく、細胞質や細胞膜の形成物質であるタンパク質などを破壊して細菌を死滅させる作用を有することが知られている。そこで、内壁面が反射面となって、光を反射させる反射板を有する多角形筒体において、紫外線を多角形筒体の内壁面の反射板に出射する。そして、反射板による紫外線の反射を複数回繰り返すことで、多角形筒体の内部に、紫外線による膜のようなディスク状の殺菌空間を形成する装置がある（たとえば、特許文献１参照）。以後、光が反射する円盤状の空間を光空間と呼ぶ。
【先行技術文献】
【特許文献】
【０００３】
【特許文献１】再表２０１７−１１９１５２号公報
【発明の概要】
【発明が解決しようとする課題】
【０００４】
上述したような従来の光空間に係る技術では、多角形筒体内部において、出射した光を、筒体内部に配置された複数の反射鏡で反射させ、光空間を形成する。しかしながら、複数の反射鏡での光の反射に伴い、光空間内の位置によって光量に偏りが生じるおそれがあった。【０００５】
この発明は、上記のような課題を解決するため、光空間における光量の偏りを抑えることができる光空間生成装置、殺菌装置、空気調和装置、冷蔵庫、水殺菌装置および検出装置を得ることを目的とする。
【課題を解決するための手段】
【０００６】
この発明に係る光空間生成装置は、底面が開口し、空間を内側に有する筒体と、筒体の側壁面に配置され、空間に光を出射する出射部と、出射部が配置された部分以外の側壁面の内側に配置され、光を反射する反射板とを備え、出射部は、２以上の方向に向けて光を出射する複数の光源を有するものである。【０００７】
また、この発明に係る殺菌装置は、上述した光空間生成装置を備え、出射部から紫外線を出射して、多角柱状の筒体の内側の空間に通過させた流体に照射するものである。【０００８】
また、この発明に係る空気調和装置、冷蔵庫および水殺菌装置は、上述した殺菌装置を備えるものである。【０００９】
また、この発明に係る検出装置は、上述した光空間生成装置と、特定波長域の光を検出する検出器とを備え、光空間生成装置は、出射部から特定波長域の光を出射して、円柱形状または多角柱形状の筒体の内側の空間を通過する流体に照射し、出射部が出射した光に対する、検出器が検出した光の減衰率に基づいて、特定波長域の光に対して吸収特性を有する物質を検出するものである。
【発明の効果】
【００１０】
この発明によれば、側壁面の一部に複数の光源を有する出射部および側壁面の内側に反射板が配置された筒体を備え、出射部から２以上の方向に向けて光を出射するようにした。このため、筒体内側に生成される光空間において光量の偏りを抑制することができる。
【図面の簡単な説明】
【００１１】
【図１】この発明の実施の形態１に係る光空間生成装置の構成を説明する図である。
【図２】この発明の実施の形態１に係る光空間生成装置の筒体内部における光の進行を、筒体の側面側から見た図である。
【図３】この発明の実施の形態１に係る光空間生成装置における光出射部の概略を示す図である。
【図４】この発明の実施の形態１に係る光空間生成装置における光源からの距離と光の強度との関係を説明する図である。
【図５】この発明の実施の形態１に係る光空間生成装置に関し、光の反射面における入射光と反射光との関係を示す図である。
【図６】この発明の実施の形態１に係る光空間生成装置において光出射部から１方向に光を出射したときの進行方向について説明する図である。
【図７】この発明の実施の形態１に係る光空間生成装置において光出射部から１方向に光を出射したときの光空間における光の分布の一例を示す図である。
【図８】この発明の実施の形態１に係る光空間生成装置において光出射部から２方向に光を出射したときの進行方向について説明する図である。
【図９】この発明の実施の形態１に係る光空間生成装置において光出射部から２方向に光を出射したときの光空間における光の分布の一例を示す図である。
【図１０】この発明の実施の形態２に係る殺菌装置の概略を示す図である。
【図１１】この発明の実施の形態２に係る殺菌装置の筒体内部における光の進行を多角柱の側面側から見た図である。
【図１２】この発明の実施の形態２に係る殺菌装置が設置された空気調和装置について説明する図である。
【図１３】この発明の実施の形態２に係る空気中の粒子などについて説明する図である。
【図１４】この発明の実施の形態２に係る各反射板の近辺における紫外線の光量分布について説明する図である。
【図１５】この発明の実施の形態３に係る光空間生成装置において光出射部から２方向に光を出射したときの進行方向について説明する図（その１）である。
【図１６】この発明の実施の形態３に係る光空間生成装置において光出射部から２方向に光を出射したときの進行方向について説明する図（その２）である。
【図１７】この発明の実施の形態３に係る光空間生成装置において光出射部から２方向に光を出射したときの進行方向について説明する図（その３）である。
【図１８】この発明の実施の形態３に係る光出射部の概略構成を示す図である。
【図１９】この発明の実施の形態４に係る空気調和装置の構成の概略を示す図である。
【図２０】この発明の実施の形態５に係る冷蔵庫の構成の概略を示す図である。
【図２１】この発明の実施の形態６に係る水殺菌装置の構成の概略を示す図である。
【図２２】この発明の実施の形態７に係る検出装置の構成の概略を示す図である。
【図２３】この発明の実施の形態７に係る検出装置の光出射および検出部の概略を示す図である。
【図２４】この発明の実施の形態８に係る光空間生成装置の構成を説明する図である。
【発明を実施するための形態】
【００１２】
以下、この発明の実施の形態に係る光空間生成装置、殺菌装置、空気調和装置、冷蔵庫、水殺菌装置および検出装置の構成と動作について、図を参照しながら説明する。ここで、以下の図において、同一の符号を付したものは、同一またはこれに相当するものであり、以下に記載する実施の形態の全文において共通することとする。そして、明細書全文に表わされている構成要素の形態は、あくまでも例示であって、明細書に記載された形態に限定するものではない。特に構成要素の組み合わせは、各実施の形態における組み合わせのみに限定するものではなく、他の実施の形態に記載した構成要素を別の実施の形態に適用することができる。また、図面では各構成部材の大きさの関係が実際のものとは異なる場合がある。
【００１３】
実施の形態１．
図１は、この発明の実施の形態１に係る光空間生成装置の構成を説明する図である。光空間生成装置１は、筒体５、光出射部３および反射板４を有する。光空間生成装置１は、光出射部３から出射された光を、筒体５が内壁面に有する反射板４の反射面で反射して光空間を生成する構造である。
【００１４】
実施の形態１の筒体５は、多角柱形状で、内側は空洞であり、空間が形成されている。実施の形態１の筒体５は、正九角柱の形状である。そして、光出射部３が出射した光が反射板４での反射を繰り返して空間を通過することで、光空間が生成される。筒体５において、多角柱底面は開口している。一方、筒体５の側壁面における内側の内壁面は、１面を除いて、表面が平滑であり、入射した光を鏡面反射（以下、反射という）する反射板４が形成されている。図１に示すように、実施の形態１では、筒体５の側面Ａ〜側面Ｈに反射板４が形成されている。ここで、筒体５における各側面に形成された反射板４は、便宜的にそれぞれ反射板４Ａ〜反射板４Ｈとして独立したものとする。ただし、これに限定するものではない。
【００１５】
筒体５の側面における内壁面のうち、反射板４が形成されていない１面には、光出射部３が設置される。光出射部３は、後述するように、光を出射する光源２を複数有する。実施の形態１においては、各光源２は、コリメートレンズを設置したＬＥＤ光源または狭照射角を持つＬＥＤ光源とする。このため、各光源２からは平行光が出射される。ここで、各光源２の光は完全な平行光でなくてもよく、たとえば、疑似平行光でもよい。また、光源２から出射される光の波長については、特に限定するものではない。光空間生成装置１の用途に応じた様々な波長域の光を選択することができる。
【００１６】
図２は、この発明の実施の形態１に係る光空間生成装置の筒体内部における光の進行を、筒体の側面側から見た図である。図１および図２において、光軸６は、光源２から出射された光の進行方向を示している。
【００１７】
図３は、この発明の実施の形態１に係る光空間生成装置における光出射部の概略を示す図である。実施の形態１の光空間生成装置１において、光出射部３は、８個の光源２を有する。そして、８個の光源２のうち、４個は、反射板４Ｂに向けて光を出射するＢ方向光源７である。また、残りの４個は、反射板４Ａに向けて光を出射するＡ方向光源８である。図３の光出射部３は、Ｂ方向光源７とＡ方向光源８とを、互い違いにジグザグ状に設置した構造である。ただし、これに限定するものではない。
【００１８】
図４は、この発明の実施の形態１に係る光空間生成装置における光源からの距離と光の強度との関係を説明する図である。たとえば、点光源で光が発散放射される場合、ある位置において照射される光の強度は、逆２乗の法則に従って減衰する。しかし、図４に示すように、指向性の強い理想的な平行光は、発散することなく、出射された光の進行に係る面積と反射板４に照射される光の面積とが等しい。このため、光の強度は減衰しにくい。したがって、光源２の半値幅を小さくすることで、反射板４で反射される光は、反射による光の減衰が起こるだけで、空気中を通過しても強度が減衰することなく、進行する。そのため、光源２からの光が、多角形構造である光空間生成装置１の筒体５内部で反射を繰り返し、全体に進行する。光の強度は、光が反射板４の各面で反射されることにより、光源２から出射した強度よりも、反射回数に従って増大する。その結果、光空間生成装置１の筒体５内部全体で光の強度が増大し、高効率かつ省エネルギーに光を増大することができる。
【００１９】
図５は、この発明の実施の形態１に係る光空間生成装置に関し、光の反射面における入射光と反射光との関係を示す図である。図５に示すように、光は、空気中を通過し、金属板などで鏡面反射される際、反射する光の入射角と反射角は等しいという、反射の法則が成り立つ。入射角と反射角とは、それぞれに光の進行方向と反射板４の垂線である法線との間の角度として定義される。したがって、光空間生成装置１において、各反射板４に入射された光は、同じ角度で反射される。
【００２０】
また、光源２からの光が反射板４において反射を繰り返す場合、反射板４にて反射される光は、次式（１）で表される。ここで、ｎは反射回数である。また、Ｒは、反射率（％）である。Ｌ０は初期の光の強度であり、Ｌｎは、ｎ回反射した際の光の強度である。反射率は、光の波長と材料との関係により異なる。したがって、使用する光の波長域に対する反射率が高い反射特性を有する材料を、反射板４に使用することが望ましい。
【００２１】
［数１］
Ｌｎ＝Ｌ０×（Ｒ／１００）ｎ                …（１）
【００２２】
図６は、この発明の実施の形態１に係る光空間生成装置において光出射部から１方向に光を出射したときの進行方向について説明する図である。前述したように、正九角形の筒体５において、８つの面は反射板４が形成され、反射面となる。光出射部３に設置された複数の光源２のうち、たとえば、Ｂ方向光源７から、平行な光が出射され、反射板４Ｂの反射面に対して、１０°の角度で入射する場合、入射された光は、１０°の角度で反射され、反射板４Ｆに入射する。その後、反射板４Ｃ、反射板４Ｇ、反射板４Ｄ、反射板４Ｈ、反射板４Ｅ、反射板４Ａの順番にすべての反射板４で入射および反射が繰り返される。
【００２３】
図７は、この発明の実施の形態１に係る光空間生成装置において光出射部から１方向に光を出射したときの光空間における光の分布の一例を示す図である。ここでは、Ｂ方向光源７が光を出射するものとして説明する。また、光出射部３のＢ方向光源７が出射する光の強さが１００であり、反射板４における反射率が７０％であるものとして説明する。Ｂ方向光源７から出射した光は、最初に反射板４Ｂにおいて反射される。反射板４Ｂで反射された光の強さは、７０まで減衰する。その後、反射板４Ｆにて反射された光の強さは４９となる。さらに、反射板４Ｃにて反射された光の強さは３４．３となる。さらに、反射板４Ｇにて反射された光の強さは２４．０、反射板４Ｄにて反射された光の強さは１６．８、反射板４Ｈにて反射された光の強さは１１．８、反射板４Ｅにて反射された光の強さは８．２、反射板４Ａにて反射された光の強さは５．８となる。このように、反射が繰り返されることで、光は次第に減衰していく。最後に反射される反射板４Ａにおいて反射された光は、Ｂ方向光源７が出射する光の強さの５．８％まで減少する。このため、図７に示すように、筒体５の内部の光空間において、光の分布に偏りが生じる。
【００２４】
図８は、この発明の実施の形態１に係る光空間生成装置において光出射部から２方向に光を出射したときの進行方向について説明する図である。図８では、光出射部３に設置されたＢ方向光源７およびＡ方向光源８から、それぞれ平行な光が出射され、反射板４Ｂおよび反射板４Ａの反射面に対して、１０°の角度で入射する場合について説明する。Ｂ方向光源７の進行方向は、前述した通りである。一方、Ａ方向光源８から出射され、反射板４Ａの反射面に対して、１０°の角度で入射した光は、１０°の角度で反射され、反射板４Ｅに入射する。その後、反射板４Ｈ、反射板４Ｄ、反射板４Ｇ、反射板４Ｃ、反射板４Ｆ、反射板４Ｂの順番にすべての反射板４で入射および反射が繰り返される。
【００２５】
図９は、この発明の実施の形態１に係る光空間生成装置において光出射部から２方向に光を出射したときの光空間における光の分布の一例を示す図である。ここでは、図７と同様に、光出射部３が出射する光の強さが１００であり、反射板４における反射率が７０％であるものとして説明する。図７において説明したＢ方向光源７から出射された光と同様に、Ａ方向光源８が出射した光について、最後に反射される反射板４Ｂにおいて反射された光は、Ａ方向光源８が出射した光の強さの５．８％まで減少する。
【００２６】
ここで、Ｂ方向光源７から出射した光が反射板４Ｂで反射される光の強さは７０となる。このため、反射板４Ｂにおいて、Ａ方向光源８に係る反射光が弱くても、Ｂ方向光源７に係る反射光が強いため、全体として反射される光量は増える。同様に、すべての反射板４付近において、２方向に出射されたそれぞれの光の反射光は、補完し合うことで、全体として反射光の光量は増える。
【００２７】
以上のように、実施の形態１の光空間生成装置では、光出射部３から出射する光について、２以上の方向に向けて光を出射するように、光源２（Ａ方向光源８およびＢ方向光源７）が配置される。このため、反射を繰り返して弱くなったある光源２からの光が入射する反射板４には、別の光源２からの光を直接入射させるなどして、互いに補完しながら反射させることで、偏りが少ない光空間を生成することができる。
【００２８】
ここで、実施の形態１の光空間生成装置１が生成する光量の偏りのない光空間において、光源２から出射する光の波長域によって様々な応用が可能である。たとえば、紫外線を光として出射する光源２を有する光空間生成装置１であれば、殺菌用途に適用することができる。また、可視光線を光として出射する光源２を有する光空間生成装置１であれば、照明用途に適用することができる。さらに、赤外線を光として出射する光源２を有する光空間生成装置１であれば、検出用途に適用することができる。このように、幅広い用途に応用することができる。
【００２９】
実施の形態２．
図１０は、この発明の実施の形態２に係る殺菌装置の概略を示す図である。図１０において、図１と同じ符号を付している機器などについては、実施の形態１で説明したことと同様の機能を果たす。殺菌装置９は、筒体５内の光空間に流体を通過させ、流体に含まれる菌に紫外線を照射して殺菌をはかる装置である。ここで、実施の形態２の説明では、空気を流体とする。
【００３０】
殺菌装置９において、多角柱の筒体５は、前述したように底面が開口している。開口部分は、空気の流入口１４と空気の排出口１５とになる。実施の形態２の殺菌装置９は、光として紫外線を出射する。このため、実施の形態２の殺菌装置９は、光出射部３の代わりに紫外線出射部１１を有する。実施の形態２において、紫外線を出射する光源２は、波長域２５０〜２６５ｎｍにピーク波長を持ち平行光線を出射できるコリメートレンズを設置したＵＶ−ＬＥＤ光源とする。以上より、紫外線出射部１１から出射される紫外線の進行方向と光空間を通過する空気の流れとは直交する。
【００３１】
図１１は、この発明の実施の形態２に係る殺菌装置の筒体内部における光の進行を多角柱の側面側から見た図である。図１１において、光軸６は、光源２から出射された紫外線の進行方向を示している。殺菌装置９の筒体５において、底面側は開口しており、空気の流入口１４と排出口１５となる。
【００３２】
図１２は、この発明の実施の形態２に係る殺菌装置が設置された空気調和装置について説明する図である。実施の形態２の空気調和装置１７は、殺菌装置９を内部に設置している。空気調和装置１７は、空気流入口１９と空気排出口２０とを有する風路１８において、殺菌装置９と送風装置２１とを設置した構造を有する。
【００３３】
次に、筒体５内の空気の進行方向と紫外線光源１０から照射された紫外線の進行方向を示す光軸６との関係について説明する。紫外線光源１０および反射板４は、空気の進行方向に対して垂直に紫外線が出射または反射するように配置されている。そのため、図１１に示すように、紫外線は、空気の進行方向に対して、光軸６が垂直に出射または反射される。
【００３４】
そして、図１２の空気調和装置１７において、紫外線光源１０から照射された紫外線の光軸が、空気の流入口１４と空気の排出口１５の側面が開口している筒体５であっても、空気の進行方向に対して、殺菌装置９の外に反射されることは少ない。殺菌装置９の前後にある風路１８への紫外線の漏出が少ないことから、材料の劣化が起こりにくい。このため、殺菌装置９は、空気の流入口１４と空気の排出口１５の側面を全面開口することができる。したがって、空気調和装置１７に殺菌装置を搭載したときに、殺菌装置９の設置による圧力損失を少なくすることができる。
【００３５】
ここで、反射板４の紫外線に対する反射率は材料により異なる。好適に使用できる紫外線反射材を例示すれば、クロム（紫外線反射率：約５０％）、白金（紫外線反射率：約５０％）、ロジウム（紫外線反射率：約６５％）、炭酸マグネシウム（紫外線反射率：約７５％）、炭酸カルシウム（紫外線反射率：約７５％）、酸化マグネシウム（紫外線反射率：約９０％）、アルミニウム（紫外線反射率：約９０％）などを挙げることができる。
【００３６】
これらの中でも、紫外線反射材としては、アルミニウムを用いることが特に好ましい。アルミニウムは、メッキ法および蒸着法などの表面処理により、高い反射率の表面とすることができる。また、アルミニウムは、加工性に優れている。アルミニウムの表面処理として、二酸化ケイ素ＳｉＯ２、フッ化マグネシウムＭｇＦ２でコーティングすることで、アルミニウム材料の表面を保護し、かつ、紫外域での反射率を増やすことができる。
【００３７】
図１３は、この発明の実施の形態２に係る空気中の粒子などについて説明する図である。空気中には、水または埃などの浮遊粒子２２が存在している。浮遊粒子２２の大きさは様々ある。たとえば、浮遊粒子状物質（ＳＰＭ）の場合は、１０μｍ以下である。また、ＰＭ２．５の場合は、２．５μｍ以下である。一方、浮遊微生物２３は、たとえば、細菌またはウイルスなどである。細菌の大きさは、約０．５〜４μｍ、ウイルスの大きさは、約０．０３〜０．３μｍである。空気中の浮遊微生物２３は、浮遊粒子２２に付着した状態で空気中に浮遊している。
【００３８】
殺菌装置９は、風路１８と筒体１３を通過した空気中の浮遊粒子２２に付着している浮遊微生物２３を紫外線を照射することで殺菌する。殺菌装置９は、筒体１３の内部を紫外線反射構造として、殺菌可能な紫外線空間を形成する。筒体１３内を通過した空気中の浮遊粒子２２には、あらゆる角度から紫外線が照射される。
【００３９】
図１４は、この発明の実施の形態２に係る各反射板の近辺における紫外線の光量分布について説明する図である。図１４は、紫外線出射部１１から１方向に紫外線を出射したときの光量分布と２方向に紫外線を出射したときの光量分布とを比較するものである。ここで、筒体５の中央部分は、各反射板４が反射した光が通過する。このため、筒体５の中央部分は、紫外線の光量が最も大きい部分となる。したがって、各反射板４近辺における紫外線の光量を見れば、光空間において殺菌に必要な光量の紫外線が得られているかがわかる。
【００４０】
図１４において、点線は、殺菌に必要な紫外線光量の最下限を表す。紫外線出射部１１から反射板４Ｂに向けて紫外線を出射したとき、反射板４Ｂ、反射板４Ｆ、反射板４Ｃおよび反射板４Ｇに反射される紫外線は、殺菌に必要な紫外線光量に達している。このため、紫外線出射部１１から１方向に紫外線を出射した場合でも、殺菌装置９は、筒体５の中央部分だけでなく、各反射板４の近辺を通過する空気中の浮遊粒子２２に付着した浮遊微生物２３に対して殺菌効果を有する。しかし、反射板４Ｄ、反射板４Ｈ、反射板４Ｅおよび反射板４Ａに反射される紫外線は、殺菌に必要な光量に達していない。このため、これらの反射板４の近辺を通過する空気に対しては殺菌効果が低下する。
【００４１】
一方、紫外線出射部１１から反射板４Ａおよび反射板４Ｂの２方向に向けて紫外線を出射したとき、反射板４における反射の繰り返しによる紫外線光量の偏りが発生しにくい。このため、実施の形態２の殺菌装置９は、いずれの反射板４の近辺であっても、殺菌に必要な光量に達している。以上のことから、実施の形態２の殺菌装置９によれば、紫外線出射部１１から２方向に紫外線を出射することで、筒体５を通過する空気全体に偏り無く紫外線を照射することができ、空気中の浮遊粒子２２に付着した浮遊微生物２３を殺菌することができる。
【００４２】
実施の形態３．
図１５〜図１７は、この発明の実施の形態３に係る光空間生成装置において光出射部から２方向に光を出射したときの進行方向について説明する図である。実施の形態３の筒体５は、正十一角柱の形状である。したがって、図１５〜図１７に示すように、実施の形態３では、筒体５の側面Ａ〜側面Ｊに反射板４が形成されている。ここで、筒体５における各側面に形成された反射板４は、それぞれ反射板４Ａ〜反射板４Ｊとする。
【００４３】
したがって、図１５に示すように、光源２の角度を光出射部３に対して±８．１７５°にする場合、光出射部３からの光は、反射板４Ｂと反射板４Ａとに出射される。反射板４Ｂに入射した光は、反射板４Ｂ、反射板４Ｇ、反射板４Ｃ、反射板４Ｈ、反射板４Ｄ、反射板４Ｉ、反射板４Ｅ、反射板４Ｊ、反射板４Ｆおよび反射板４Ａの順番にすべての反射板４で反射される。一方、反射板４Ａに入射した光は、反射板４Ａ、反射板４Ｆ、反射板４Ｊ、反射板４Ｅ、反射板４Ｉ、反射板４Ｄ、反射板４Ｈ、反射板４Ｃ、反射板４Ｇおよび反射板４Ｂの順番にすべての反射板４で反射される。
【００４４】
また、図１６に示すように、光源２の角度を光出射部３に対して±２４．５４°にする場合、光出射部３からの光は、反射板４Ｃと反射板４Ｊとに出射される。反射板４Ｃに入射した光は、反射板４Ｃ、反射板４Ｉ、反射板４Ｆ、反射板４Ｂ、反射板４Ｈ、反射板４Ｅ、反射板４Ａ、反射板４Ｇ、反射板４Ｄおよび反射板４Ｊの順番にすべての反射板４で反射される。一方、反射板４Ｊに入射した光は、反射板４Ｊ、反射板４Ｄ、反射板４Ｇ、反射板４Ａ、反射板４Ｅ、反射板４Ｈ、反射板４Ｂ、反射板４Ｆ、反射板４Ｉおよび反射板４Ｃの順番にすべての反射板４で反射される。
【００４５】
図１７に示すように、光源２の角度を光出射部３に対して±４０．７９５°にする場合、光出射部３からの光は、反射板４Ｄと反射板４Ｉとに出射される。反射板４Ｄに出射した光は、反射板４Ｄ、反射板４Ａ、反射板４Ｈ、反射板４Ｆ、反射板４Ｃ、反射板４Ｊ、反射板４Ｇ、反射板４Ｅ、反射板４Ｂおよび反射板４Ｉの順番にすべての反射板４に反射される。一方、反射板４Ｉに出射した光は、反射板４Ｉ、反射板４Ｂ、反射板４Ｅ、反射板４Ｇ、反射板４Ｊ、反射板４Ｃ、反射板４Ｆ、反射板４Ｈ、反射板４Ａおよび反射板４Ｄの順番にすべての反射板４に反射される。光源２から出射する光の角度による光空間における光の分布について、光源２から出射する光の角度が大きくなるほど、光量分布が内壁面に偏る傾向にある。このため、光源２から出射する光の角度を複数設定し、これらを組み合わせることで、光空間生成装置１内部の光の分布を均一化することができる。このため、光が紫外線の場合には、効率的な殺菌が可能となる。
【００４６】
図１８は、この発明の実施の形態３に係る光出射部の概略構成を示す図である。筒体５は多角柱形状である。側面の数をｎとすると、反射板４での反射は、最大ｎ−１回行われる。そのため、正ｎ角形のｎが大きくなるほど、光出射部３における光源２の光出射部３に対する角度の組み合わせが重要になる。
【００４７】
実施の形態３において、光源２が出射する光の強さが１００であり、反射板４における反射率が７０％とする。このとき、１回目の反射光は、７０となる。また、２回目の反射光は４９となる。その後の反射光は３４．３、２４．０、１６．８、１１．８、８．２、５．８および４．０となる。１０回目の反射光は、２．８となる。したがって、光源２から出射する光の角度は±８．１７５°、±２４．５４°および±４０．７９５°とし、これらの角度で出射される光を組み合わせることで。光空間における光の偏りを防ぐことができる。
【００４８】
たとえば、図１８に示すように、実施の形態３に係る光出射部３では、ある光源２の角度を±８．１７５°にし、反射板４Ｂおよび反射板４Ａに光を出射する。また、光出射部３では、別の光源２の角度を±２４．５４°にし、反射板４Ｃおよび反射板４Ｊに光を出射する。その結果、反射を繰り返しても光の偏りはなくなる。そして、光が紫外線の場合には、いずれの反射板４の近辺であっても、殺菌に必要な光量に達し、効率良く殺菌が可能となる。
【００４９】
実施の形態４．
図１９は、この発明の実施の形態４に係る空気調和装置の構成の概略を示す図である。実施の形態４は、実施の形態２において説明した殺菌装置９を内部に搭載したの空気調和装置２４について説明する。実施の形態４の空気調和装置２４は、空気の流入口２５、プレフィルター２６、送風機２７、熱交換器２８および空気の排出口２９を有する。
【００５０】
流入口２５は、空気調和装置２４内に空気を流入するための開口部である。プレフィルター２６は、埃およびゴミなどを集塵する。送風機２７は、空気の流入口２５から流入した空気を熱交換器２８を通過させて排出口２９から排気する流れを形成する。熱交換器２８は、たとえば、冷媒と空気とを熱交換し、空気を加熱または冷却する。排出口２９は、たとえば、加熱または冷却された空気を空気調和装置２４外に排気し、空気調和装置２４が設置された室内に送り込む。
【００５１】
実施の形態４の空気調和装置２４は、殺菌装置９を送風機２７の空気流入側に設置した例を示す。空気調和装置２４内部には送風機２７により、空気を吸い込んで、空気の流入口２５から取り入れられた空気は、必ず送風機２７の羽根部分を通過する。そのため、送風機２７の羽根部分を覆う形で、殺菌装置９を配置する。空気調和装置２４は運転を開始すると、送風機２７が駆動する。室内の空気が空気調和装置２４内に流入する。流入した空気が殺菌装置９を通過することで、空気中の微生物を殺菌する。
【００５２】
以上のように、実施の形態４における殺菌装置９を設置した空気調和装置２４によれば、空気調和装置２４内に流入した空気中のカビ、細菌およびウイルスなどの微生物を殺菌することができる。このため、微生物の空気調和装置２４内への付着および増殖を抑え、空気調和装置２４から発生する臭気を抑制するとともに、室内の空気中の微生物数を減少させることができる。ここで、実施の形態４の空気調和装置２４は、空気の流入口２５から流入した空気は、プレフィルター２６、送風機２７および熱交換器２８を通って、排出口２９から排気される構造としたが、これに限定するものではない。他の構造であっても、空気調和装置２４内に流入した空気が通過する位置に殺菌装置９を配置すれば、同様の効果を期待することができる。
【００５３】
実施の形態５．
図２０は、この発明の実施の形態５に係る冷蔵庫の構成の概略を示す図である。実施の形態５は、実施の形態２において説明した殺菌装置９を内部に搭載したの冷蔵庫３０について説明する。実施の形態５の冷蔵庫３０には、送風ファン３１により空気流入口３２から空気が取り入れられる。また、コンプレッサー３３、コンデンサー３４、キャピラリーチューブ３５および冷却器３６を配管接続して、冷媒回路が構成される。そして、冷却器３６において冷却された空気は、庫内に送られる。
【００５４】
冷却された空気は冷蔵庫ドア３８を開くと排気されるが、冷蔵庫ドア３８を閉じた状態では、冷蔵庫３０内部で循環される。内部を循環する空気には、冷蔵庫３０に保管されている食品に由来する細菌のような微生物が含まれることがある。そのため、実施の形態４の冷蔵庫３０は、空気を庫内で循環させる送風機３７の近傍に殺菌装置９を有する。そして、庫内を循環する空気を殺菌装置９に通過させ、殺菌を行うことで、空気中の微生物数を減少させることができる。ここで、実施の形態５の冷蔵庫３０は、冷蔵庫ドア３８を閉じた状態において、庫内を循環する空気は、殺菌装置９を通過し続ける。このため、高効率な殺菌効果を期待することができる。
【００５５】
実施の形態６．
図２１は、この発明の実施の形態６に係る水殺菌装置の構成の概略を示す図である。実施の形態５は、実施の形態２において説明した殺菌装置９を、水中の微生物を殺菌する水殺菌装置に適用する。ポンプ４０を駆動することにより、流水配管３９を、給水口４１から排水口４２に向かって水が流れる。このとき、水は、殺菌装置９を通過する。これにより、水中の細菌の殺菌およびウイルスの不活化を行う水殺菌装置を構成することができる。空気と水とは、流体である点は同じである。このため、殺菌動作は空気を水に置き換えることができる。
【００５６】
実施の形態７．
図２２は、この発明の実施の形態７に係る検出装置の構成の概略を示す図である。実施の形態７の検出装置４３において、図１などと同じ符号を付している機器などについては、実施の形態１などで説明したことと同様の機能を果たす。実施の形態７の検出装置４３において、光出射および検出部４４は、光を出射する光源２と光を検出する検出器４７とが組み合わせられている。ここで、光源２から出射する光の角度は任意に選択することができる。ここでは、たとえば、光源２から出射された光が反射板４Ｂに入射されるときの光の進行方向について示している。また、制御器４９は、検出器４７に入射された光量に基づいて、検出対象となるガスおよび粒子などが筒体５内に存在するかどうかなどを判定する処理を行う。
【００５７】
ここで、図２２に示すように、光出射および検出部４４において、光源２が、光出射および検出部４４の中心よりも左側または右側に偏るように配置されるようにする。そして、その隣に検出器４７が配置されるようにする。光源２が出射した光は進行方向４６に沿って進行し、反射板４Ｂに反射される。この際、反射板４Ｂに照射された光の面積において反射が行われる。たとえば、光出射および検出部４４の中心よりも左側に位置する光源２からの光は、反射板４Ｂの中心よりも右側に入射する。反射板４Ｂの反射光は、反射板４Ｆの中心よりも左側に入射する。そして、反射板４Ａからの最終反射光４８は、光源２の右隣に設置された検出器４７に入射する。ここで、光源２が出射する角度は、検出装置４３を構成する反射板４のうち、いずれかの反射板４に出射する角度であればよい。
【００５８】
ガスおよび粒子などは、各々特定波長域の光を吸収する吸収特性を持つ。たとえば、メタン（ＣＨ４）、一酸化炭素（ＣＯ）および二酸化炭素（ＣＯ２）などは２０００〜５０００ｎｍの波長域の光を吸収する。また、水粒子（Ｈ２Ｏ）は、１４５０〜１９４０ｎｍの光を吸収する。さらに、分子が有する官能基についても、それぞれの官能基により、特定の波長域を吸収することが知られている。Ｏ−Ｈ官能基は、３６５０〜３５９０ｎｍの波長域の光を吸収する。また、Ｃ＝Ｏ官能基は、１７５０〜１７００ｎｍの波長域の光を吸収する。さらに、Ｃ−Ｎ官能基は、１３４０〜１２５０ｎｍの波長域の光を吸収する。また、Ｃ―Ｈ官能基は、２９００〜２７００ｎｍおよび１４４０〜１３２０ｎｍの波長域の光を吸収する。そのため、ガスおよび粒子などが特定の波長域に吸収を持つ特性を利用し、検出装置４３の筒体５を通過する流体中に含まれたガスおよび粒子などを検出することができる。
【００５９】
図２３は、この発明の実施の形態７に係る検出装置の光出射および検出部の概略を示す図である。反射板４Ｂに向けて光を出射するＢ方向光源７からの光は、筒体５内で反射を繰り返し、最終的にＢ方向光源７に隣接された検出器４７に入射する。検出対象となるガスなどによって光が吸収されれば、検出器４７に入射した光量は少なくなる。そこで、制御器４９は、検出器４７に入射した光量に基づいて、光の減衰率を算出するなどして、検出対象となるガスなどが検出されたかどうかを判定する。ここで、光出射および検出部４４における光源２および検出器４７の個数、光源２から出射する光の角度については、任意に決定することができる。
【００６０】
以上のように、実施の形態７の検出装置４３によれば、筒体５内で偏りの少ない光空間を生成することができる。このため、筒体５を通過する流体中のガスおよび粒子などを、高効率かつ省エネルギーで検出することができる。
【００６１】
実施の形態８．
図２４は、この発明の実施の形態８に係る光空間生成装置の構成を説明する図である。実施の形態１の光空間生成装置１は、多角柱形状の筒体５であった。実施の形態８の光空間生成装置１は、円柱形状の円筒体５０で構成したものである。そして、円筒体５０の一部が開口しており、開口部分に光出射部３が設置されている。このように、実施の形態８の光空間生成装置１によれば、円柱状の円筒体５０であっても、偏りが少ない光空間を生成することができる。
【符号の説明】
【００６２】
１  光空間生成装置、２  光源、３  光出射部、４，４Ａ，４Ｂ，４Ｃ，４Ｄ，４Ｅ，４Ｆ，４Ｇ，４Ｈ，４Ｉ，４Ｊ  反射板、５，１３  筒体、６  光軸、７  Ｂ方向光源、８  Ａ方向光源、９  殺菌装置、１０  紫外線光源、１１  紫外線出射部、１４，２５  流入口、１５，２９  排出口、１７，２４  空気調和装置、１８  風路、１９  空気流入口、２０  空気排出口、２１  送風装置、２２  浮遊粒子、２３  浮遊微生物、２６  プレフィルター、２７，３７  送風機、２８  熱交換器、３０  冷蔵庫、３１  送風ファン、３２  空気流入口、３３  コンプレッサー、３４  コンデンサー、３５  キャピラリーチューブ、３６  冷却器、３８  冷蔵庫ドア、３９  流水配管、４０  ポンプ、４１  給水口、４２  排水口、４３  検出装置、４４  光出射および検出部、４６  進行方向、４７  検出器、４８  最終反射光、４９  制御器、５０  円筒体。
【図１】
2020170385.tif 000003
【図２】
2020170385.tif 000004
【図３】
2020170385.tif 000005
【図４】
2020170385.tif 000006
【図５】
2020170385.tif 000007
【図６】
2020170385.tif 000008
【図７】
2020170385.tif 000009
【図８】
2020170385.tif 000010
【図９】
2020170385.tif 000011
【図１０】
2020170385.tif 000012
【図１１】
2020170385.tif 000013
【図１２】
2020170385.tif 000014
【図１３】
2020170385.tif 000015
【図１４】
2020170385.tif 000016
【図１５】
2020170385.tif 000017
【図１６】
2020170385.tif 000018
【図１７】
2020170385.tif 000019
【図１８】
2020170385.tif 000020
【図１９】
2020170385.tif 000021
【図２０】
2020170385.tif 000022
【図２１】
2020170385.tif 000023
【図２２】
2020170385.tif 000024
【図２３】
2020170385.tif 000025
【図２４】
2020170385.tif 000026
【手続補正書】
【提出日】令和1年8月6日(2019.8.6)
【手続補正１】
【補正対象書類名】明細書
【補正対象項目名】０００６
【補正方法】変更
【補正の内容】
【０００６】
この発明に係る光空間生成装置は、底面が開口し、空間を内側に有する筒体と、筒体の側壁面に配置され、空間に光を出射する出射部と、出射部が配置された部分以外の側壁面の内側に配置され、光を反射する反射板とを備え、出射部は、２以上の方向に向けて光を出射する複数の光源を有し、複数の光源のそれぞれは、コリメートレンズを有しており、コリメートレンズを介して光に指向性を与えて出射するものである。
【手続補正２】
【補正対象書類名】特許請求の範囲
【補正対象項目名】全文
【補正方法】変更
【補正の内容】
【特許請求の範囲】
【請求項１】
底面が開口し、空間を内側に有する筒体と、
前記筒体の側壁面に配置され、前記空間に光を出射する出射部と、
前記出射部が配置された部分以外の前記側壁面の内側に配置され、前記光を反射する反射板とを備え、
前記出射部は、２以上の方向に向けて前記光を出射する複数の光源を有し、複数の前記光源のそれぞれは、コリメートレンズを有しており、前記コリメートレンズを介して前記光に指向性を与えて出射する光空間生成装置。
【請求項２】
前記光源は、光軸に平行な光を出射し、前記反射板は、入射した前記光を平行に反射する請求項１に記載の光空間生成装置。
【請求項３】
前記反射板は、前記光の波長域に対して反射率が高い特性をもつ平滑な表面を有する請求項１または請求項２に記載の光空間生成装置。
【請求項４】
前記出射部は、２以上の異なる前記反射板に前記光を出射する向きに複数の前記光源が配置される請求項１〜請求項３のいずれか一項に記載の光空間生成装置。
【請求項５】
前記筒体は、円柱形状または多角柱形状の前記側壁面を有する請求項１〜請求項４のいずれか一項に記載の光空間生成装置。
【請求項６】
請求項１〜請求項５のいずれか一項に記載の光空間生成装置を備え、
出射部から紫外線を出射して、筒体の内側の空間に通過させた流体に照射する殺菌装置。
【請求項７】
請求項６に記載の殺菌装置を有し、紫外線の進行方向と直交する方向に、調和に係る空気を通過させる空気調和装置。
【請求項８】
請求項６に記載の殺菌装置を有し、紫外線の進行方向と直交する方向に、庫内の冷却に係る空気を通過させる冷蔵庫。
【請求項９】
請求項６に記載の殺菌装置を有し、紫外線の進行方向と直交する方向に、水を通過させる水殺菌装置。
【請求項１０】
請求項１〜請求項５のいずれか一項に記載の光空間生成装置と、
特定波長域の光を検出する検出器とを備え、
前記光空間生成装置は、出射部から前記特定波長域の光を出射して、筒体の内側の空間を通過する流体に照射し、
前記出射部が出射した前記光に対する、前記検出器が検出した前記光の減衰率に基づいて、前記特定波長域の光に対して吸収特性を有する物質を検出する検出装置。
【請求項１１】
前記出射部から出射した光が複数の反射板で反射し、前記検出器には、最後に反射した前記光が入射される請求項１０に記載の検出装置。
【請求項１２】
底面が開口し、空間を内側に有する筒体と、
前記筒体の側壁面に配置され、前記空間に光を出射する出射部と、
前記出射部が配置された部分以外の前記側壁面の内側に配置され、前記光を反射する反射板とを有し、
前記出射部は、２以上の方向に向けて前記光を出射する複数の光源を有する光空間生成装置と、
特定波長域の光を検出する検出器とを備え、
前記光空間生成装置は、前記出射部から前記特定波長域の光を出射して、前記筒体の内側の前記空間を通過する流体に照射し、
前記出射部から出射した光が複数の反射板で反射し、前記検出器には、最後に反射した前記光が入射され、
前記出射部が出射した前記光に対する、前記検出器が検出した前記光の減衰率に基づいて、前記特定波長域の光に対して吸収特性を有する物質を検出する検出装置。
【手続補正書】
【提出日】令和1年11月19日(2019.11.19)
【手続補正１】
【補正対象書類名】明細書
【補正対象項目名】０００６
【補正方法】変更
【補正の内容】
【０００６】
この発明に係る光空間生成装置は、底面が開口し、空間を内側に有する筒体と、筒体の側壁面に配置され、空間に光を出射する出射部と、出射部が配置された部分以外の側壁面の内側に配置され、光を反射する反射板とを備え、出射部は、２以上の方向に向けて光を出射する複数の光源を有し、異なる方向に向けて光を出射する光源同士は、筒体の周方向に並んで設けられており、複数の光源のそれぞれは、コリメートレンズを有しており、コリメートレンズを介して光に指向性を与えて光軸に平行な光を出射して光空間を生成するものである。
【手続補正２】
【補正対象書類名】特許請求の範囲
【補正対象項目名】全文
【補正方法】変更
【補正の内容】
【特許請求の範囲】
【請求項１】
底面が開口し、空間を内側に有する筒体と、
前記筒体の側壁面に配置され、前記空間に光を出射する出射部と、
前記出射部が配置された部分以外の前記側壁面の内側に配置され、前記光を反射する反射板とを備え、
前記出射部は、２以上の方向に向けて前記光を出射する複数の光源を有し、異なる方向に向けて前記光を出射する前記光源同士は、前記筒体の周方向に並んで設けられており、複数の前記光源のそれぞれは、コリメートレンズを有しており、前記コリメートレンズを介して前記光に指向性を与えて光軸に平行な光を出射して光空間を生成する光空間生成装置。
【請求項２】
前記反射板は、入射した前記光を平行に反射する請求項１に記載の光空間生成装置。
【請求項３】
前記反射板は、前記光の波長域に対して反射率が高い特性をもつ平滑な表面を有する請求項１または請求項２に記載の光空間生成装置。
【請求項４】
前記出射部は、２以上の異なる前記反射板に前記光を出射する向きに複数の前記光源が配置される請求項１〜請求項３のいずれか一項に記載の光空間生成装置。
【請求項５】
前記筒体は、円柱形状または多角柱形状の前記側壁面を有する請求項１〜請求項４のいずれか一項に記載の光空間生成装置。
【請求項６】
請求項１〜請求項５のいずれか一項に記載の光空間生成装置を備え、
出射部から紫外線を出射して、筒体の内側の空間に通過させた流体に照射する殺菌装置。
【請求項７】
空気流入口と空気排出口とを有する風路と、
前記風路に設置される送風装置と、
前記風路に設置される請求項６に記載の殺菌装置とを有し、
前記送風装置からの調和に係る空気を、筒体底面の開口部分から流入出させる向きに前記殺菌装置を配置し、紫外線の進行方向と直交する方向に、前記空気を通過させる空気調和装置。
【請求項８】
空気を冷却する冷却器と
前記冷却器が冷却した前記空気を庫内で循環させる送風機と、
請求項６に記載の殺菌装置とを有し、
紫外線の進行方向と直交する方向に、前記送風機から送られた前記庫内を循環する前記空気を前記殺菌装置に通過させる冷蔵庫。
【請求項９】
請求項６に記載の殺菌装置を有し、紫外線の進行方向と直交する方向に、水を通過させる水殺菌装置。
【請求項１０】
請求項１〜請求項５のいずれか一項に記載の光空間生成装置と、
特定波長域の光を検出する検出器とを備え、
前記光空間生成装置は、出射部から前記特定波長域の光を出射して、筒体の内側の空間を通過する流体に照射し、
前記出射部が出射した前記光に対する、前記検出器が検出した前記光の減衰率に基づいて、前記特定波長域の光に対して吸収特性を有する物質を検出する検出装置。
【請求項１１】
底面が開口し、空間を内側に有する筒体と、前記筒体の側壁面に配置され、前記空間に光を出射する出射部と、前記出射部が配置された部分以外の前記側壁面の内側に配置され、前記光を反射する反射板とを備え、前記出射部は、２以上の方向に向けて前記光を出射する複数の光源を有し、複数の前記光源のそれぞれは、コリメートレンズを有しており、前記コリメートレンズを介して前記光に指向性を与えて出射する光空間生成装置と、
特定波長域の光を検出する検出器とを備え、
前記光空間生成装置は、前記出射部から前記特定波長域の光を出射して、前記筒体の内側の前記空間を通過する流体に照射し、
前記出射部が出射した前記光に対する、前記検出器が検出した前記光の減衰率に基づいて、前記特定波長域の光に対して吸収特性を有する物質を検出する検出装置であって、
前記出射部から出射した光が複数の反射板で反射し、前記検出器には、最後に反射した前記光が入射される検出装置。
【請求項１２】
底面が開口し、空間を内側に有する筒体と、
前記筒体の側壁面に配置され、前記空間に光を出射する出射部と、
前記出射部が配置された部分以外の前記側壁面の内側に配置され、前記光を反射する反射板とを有し、
前記出射部は、２以上の方向に向けて前記光を出射する複数の光源を有する光空間生成装置と、
特定波長域の光を検出する検出器とを備え、
前記光空間生成装置は、前記出射部から前記特定波長域の光を出射して、前記筒体の内側の前記空間を通過する流体に照射し、
前記出射部から出射した光が複数の反射板で反射し、前記検出器には、最後に反射した前記光が入射され、
前記出射部が出射した前記光に対する、前記検出器が検出した前記光の減衰率に基づいて、前記特定波長域の光に対して吸収特性を有する物質を検出する検出装置。
【手続補正書】
【提出日】令和2年4月8日(2020.4.8)
【手続補正２】
【補正対象書類名】明細書
【補正対象項目名】０００１
【補正方法】変更
【補正の内容】
【０００１】
この発明は、光による空間を円盤状に形成する光空間生成装置を備える検出装置に関するものである。
【手続補正３】
【補正対象書類名】明細書
【補正対象項目名】０００５
【補正方法】変更
【補正の内容】
【０００５】
この発明は、上記のような課題を解決するため、光空間における光量の偏りを抑えることができる光空間生成装置を備える検出装置を得ることを目的とする。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
この発明に係る検出装置は、底面が開口し、空間を内側に有する筒体と、筒体の側壁面に配置され、空間に光を出射する出射部と、出射部が配置された部分以外の側壁面の内側に配置され、光を反射する反射板とを有し、出射部は、２以上の方向に向けて光を出射する複数の光源を有する光空間生成装置と、特定波長域の光を検出する検出器とを備え、光空間生成装置は、出射部から特定波長域の光を出射して、筒体の内側の空間を通過する流体に照射し、出射部から出射した光が複数の反射板で反射し、検出器には、最後に反射した光が入射され、出射部が出射した光に対する、検出器が検出した光の減衰率に基づいて、特定波長域の光に対して吸収特性を有する物質を検出するものである。
【手続補正８】
【補正対象書類名】特許請求の範囲
【補正対象項目名】全文
【補正方法】変更
【補正の内容】
【特許請求の範囲】
【請求項１】
底面が開口し、空間を内側に有する筒体と、
前記筒体の側壁面に配置され、前記空間に光を出射する出射部と、
前記出射部が配置された部分以外の前記側壁面の内側に配置され、前記光を反射する反射板とを有し、
前記出射部は、２以上の方向に向けて前記光を出射する複数の光源を有する光空間生成装置と、
特定波長域の光を検出する検出器とを備え、
前記光空間生成装置は、前記出射部から前記特定波長域の光を出射して、前記筒体の内側の前記空間を通過する流体に照射し、
前記出射部から出射した光が複数の反射板で反射し、前記検出器には、最後に反射した前記光が入射され、
前記出射部が出射した前記光に対する、前記検出器が検出した前記光の減衰率に基づいて、前記特定波長域の光に対して吸収特性を有する物質を検出する検出装置。
【請求項２】
前記反射板は、入射した前記光を平行に反射する請求項１に記載の検出装置。
【請求項３】
前記反射板は、前記光の波長域に対して反射率が高い特性をもつ平滑な表面を有する請求項１または請求項２に記載の検出装置。
【請求項４】
前記出射部は、２以上の異なる前記反射板に前記光を出射する向きに複数の前記光源が配置される請求項１〜請求項３のいずれか一項に記載の検出装置。
【請求項５】
前記筒体は、円柱形状または多角柱形状の前記側壁面を有する請求項１〜請求項４のいずれか一項に記載の検出装置。
【請求項６】
複数の前記光源のそれぞれは、コリメートレンズを有しており、前記コリメートレンズを介して前記光に指向性を与えて出射する請求項１〜請求項５のいずれか一項に記載の検出装置。
【国際調査報告】
2020170385.tif 000027
2020170385.tif 000028
2020170385.tif 000029
2020170385.tif 000030